(57)【特許請求の範囲】
【請求項１】
回転駆動されるリール刃と、このリール刃で刈られた芝屑を収納する集草篭とを備えた芝刈機において、リール刃から集草篭に至る芝屑の通路内に、複数枚の互いにほぼ平行で且つ下端がリール刃の上端付近の高さまで至る整流板を本体内面の天井面から垂下していることを特徴とする芝刈機。
【請求項２】
リール刃の後方に配設された集草篭はその後部上面に風抜き孔を備えていることを特徴とする請求項１記載の芝刈機。
【発明の詳細な説明】
【０００１】
【発明の属する技術分野】
本発明はリール刃と集草篭とを備えた芝刈り機に関するものである。
【０００２】
【従来の技術】
回転駆動されるリール刃で刈り取った芝屑をリール刃の後方に配した集草篭に集めるようにした芝刈り機がある。このものではリール刃の回転によって刈られるとともにリール刃の回転及びこの回転で生じる風によって後方へと飛ばされる芝屑を集草篭に集めることで、芝屑の飛散を防ぐことができる。
【０００３】
【発明が解決しようとする課題】
ところが、リール刃は螺旋状の刃を周方向に並べて円筒状としたものであるために、該リール刃によって刈られるとともに後方へと飛ばされる芝屑は、集草篭の片側に集中してしまうものであり、集草篭の容量を活かすことができないものとなっている。
【０００４】
また、集草篭は着脱自在に構成するわけであるが、芝刈機の本体側における集草篭の装着面は大きな開口となっており、リール刃が奥方に位置している上記開口の存在は、安全性の点で問題がある。
【０００５】
本発明はこのような点に鑑みなされたものであって、その目的とするところは集草篭内に芝屑を均一に集めることができる上に安全性も高くなる芝刈機を提供するにある。
【０００６】
【課題を解決するための手段】
しかして本発明は、回転駆動されるリール刃と、このリール刃で刈られた芝屑を収納する集草篭とを備えた芝刈機において、リール刃から集草篭に至る芝屑の通路内に、複数枚の互いにほぼ平行で且つ下端がリール刃の上端付近の高さまで至る整流板を本体内面の天井面から垂下していることに特徴を有している。
【０００７】
整流板によって集草篭全体に芝屑を均一に送ることができるものである。
【０００８】
リール刃の後方に配設された集草篭の後部上面に風抜き孔を設けることも好ましい。
【０００９】
【発明の実施の形態】
以下本発明を実施の形態の一例に基づいて詳述すると、図１〜図４において、芝刈機本体１はその後部に集草篭６が着脱自在に取り付けられるもので、本体１の前端側の左右には前輪１１が、後端側にはローラー状の後輪１２が配設されており、本体１の上面側にはハンドル５が前後方向に回動自在に連結されている。
【００１０】
本体１内には駆動源であるモータ３と該モータ３によって回転駆動されるリール刃２、そしてリール刃２に接近配置された固定刃４が配設されている。フレーム１０に固定された上記モータ３の出力軸３０にはプーリ３１が固着されており、同じくフレーム１０に回転自在に取り付けられたリール刃２の回転軸２０にもプーリ２１が固着されているのであるが、ここでは両プーリ３１，２１を直接ベルトで連結するのではなく、フレーム１０に軸３５を介して回転自在に取り付けたプーリ３６を設けて、上記プーリ３１とプーリ３６との間をベルト３３で連結するとともに、プーリ３６とプーリ２１との間をベルト３２で連結して、これらベルト３３，３２とプーリ３１，３６，２１によってモータ３の回転がリール刃２に伝えられるようにしてある。図中３７はこのベルト３２，３３による動力伝達部の下方側を覆っているカバーである。
【００１１】
上記固定刃４は、リール刃２に微小な隙間を介して対向するもので、フレーム１０に後端が軸４１で支持されている左右一対の調節アーム４０，４０間に取り付けられている。該調節アーム４０はその前端側が調節ねじ４２とばね４３とによってフレーム１０に取り付けられており、調節ねじ４２を回して軸４１を中心として調節アーム４０を回動させることにより、リール刃２との間の隙間を調節することができるようになっている。
【００１２】
また、後輪１２はフレーム１０の所定位置に取り付けられているのに対して、左右一対の前輪１１は回動板１５を介してフレーム１０に取り付けられており、回動板１５から突設されて本体１上面側に突出している調節レバー１６で回動板１５を軸１７を中心として回動させることで、フレーム１０に対する前輪１１の上下位置を変更することができるようになっており、このために芝の刈り高さを変更することができる。
【００１３】
リール刃２を回転駆動させれば、リール刃２と固定刃４との間で芝を切断することができるものであり、切断された芝屑はリール刃２の回転に伴って後方上部へと送られて集草篭６に入る。この時、リール刃２と集草篭６との間の芝屑の通路となる部分の本体１内面には、その天井面から複数枚の互いにほぼ平行な整流板１９を垂下してあり、本体１にリブとして一体成形されたこれら整流板１９は、リール刃２が螺旋状に形成されたブレードを周部に複数枚備えたものとして形成されているために、図３に示すように、片側に寄ろうとする芝屑を整流して本体１の後方へと流すものであり、このために芝屑は集草篭６内の全体にほぼ均一に集められる。
【００１４】
また、集草篭６を本体１から取り外した状態で芝刈りを行う時には、本体１の後端開口面（集草篭６の取り付け面）の奥方にリール刃２が覗くことになるが、開口面とリール刃２との間に位置する上記整流板１９は、開口面から手足が入ってもリール刃２に至ることを防ぐために、安全性も高いものとなる。
【００１５】
図５及び図６は集草篭６の後方上面を網で形成することでにこの部分に風抜き孔７を設けたものを示している。リール刃２の回転で生じる風が図５に示す矢印方向に流れるものであり、集草篭６内での風通りが良くなるために、芝屑は集草篭６の奥から集草される。芝屑を効率良く集草できるものである。
【００１６】
風抜き孔７は図７に示すように集草篭６の後端面に設けてもよい。
【００１７】
【発明の効果】
以上のように本発明においては、回転駆動されるリール刃と、このリール刃で刈られた芝屑を収納する集草篭とを備えた芝刈機において、リール刃から集草篭に至る芝屑の通路内に、複数枚の互いにほぼ平行で且つ下端がリール刃の上端付近の高さまで至る整流板を本体内面の天井面から垂下しているために、整流板によって集草篭全体に芝屑を均一に送ることができるものであり、このために集草篭の容量を有効に使用することができる。また整流板の存在は、集草篭を外した場合におけるリール刃に手足が接触する虞を無くすものであり、安全性の向上にも寄与するものである。
【００１８】
リール刃の後方に配設された集草篭の後部上面に風抜き孔を設けることも、芝屑を集草篭の奥に集めることができることになるために、芝屑の集草効率を高めることに有効である。
【図面の簡単な説明】
【図１】本発明の実施の形態の一例の縦断面図である。
【図２】同上の底面図である。
【図３】同上の平面図である。
【図４】同上の集草篭を外した状態の背面図である。
【図５】他例の縦断面図である。
【図６】同上の平面図である。
【図７】さらに他例の縦断面図である。
【符号の説明】
２  リール刃
３  モータ
６  集草篭
１９  整流板
【図１】
0003684950.tif 000002
【図２】
0003684950.tif 000003
【図３】
0003684950.tif 000004
【図４】
0003684950.tif 000005
【図５】
0003684950.tif 000006
【図６】
0003684950.tif 000007
【図７】
0003684950.tif 000008